(57)【要約】【課題】暗いときであっても屋内用フェンスの外形を認識できるようにする。【解決手段】屋内用フェンス（ベビーフェンス）１００の外形を認識することができる位置に蓄光材含有部品１２１−１２５が配置されており、これらの蓄光材含有部品１２１−１２５は暗くなると発光するため、暗いときであっても屋内用フェンス（ベビーフェンス）１００の外形を認識することができる。【選択図】図１
2016174634.tif 000002
【特許請求の範囲】
【請求項１】
屋内に配置される移動可能な屋内用フェンスであって、
前記屋内用フェンスの外形を認識することができる位置に配置されている蓄光手段を備えることを特徴とする屋内用フェンス。
【請求項２】
前記屋内用フェンスは、ウォール部分と、当該ウォール部分に対して開閉可能なドア部分とのうち、少なくともウォール部分からなり、前記蓄光手段は前記ウォール部分及び前記ドア部分のうち少なくともウォール部分に配置されていることを特徴とする請求項１に記載の屋内用フェンス。
【請求項３】
前記屋内用フェンスは布製部材を備えており、
前記布製部材の少なくとも一部の領域には蓄光材が混練されており、前記領域が前記蓄光手段をなしていることを特徴とする請求項１または２に記載の屋内用フェンス。
【請求項４】
前記蓄光手段は、
蓄光材を含む蓄光層と、
前記蓄光層の一面側において前記蓄光層と接合されている接着層と、
からなり、
前記接着層を介して貼り付け可能であることを特徴とする請求項１乃至３の何れか一項に記載の屋内用フェンス。
【請求項５】
前記屋内用フェンスは樹脂製の部品を備えており、
前記部品には蓄光材が混練されており、前記部品が前記蓄光手段をなしていることを特徴とする請求項１乃至４の何れか一項に記載の屋内用フェンス。
【発明の詳細な説明】
【技術分野】
【０００１】
本発明は屋内用フェンスに関する。
【背景技術】
【０００２】
寝ている幼児を防護するために、あるいは、危険性がある場所（暖房器具など）に幼児が近づかないように、寝ている幼児または危険性がある場所の周囲に防護用の屋内用フェンス（「ベビーフェンス」と呼ばれることがある）が置かれることがある（例えば、特開２００８−２０２３３７号公報参照）。
【０００３】
日中はどこにフェンスが置かれているかは視認可能であるが、夜中などの暗いときには、フェンスの位置がわからず、フェンスに足をぶつけたりすることがある。特に、フェンスに激しくぶつかったようなときには、フェンス自体が倒れるおそれがあり、フェンス内の幼児に対する危険性が増大する。
【先行技術文献】
【特許文献】
【０００４】
【特許文献１】特開２００８−２０２３３７号公報
【特許文献２】実用新案登録第３０９５５６５号公報
【発明の概要】
【発明が解決しようとする課題】
【０００５】
例えば、実用新案登録第３０９５５６５号公報（特許文献２）には、ドアとドア把手との接続箇所に蓄光性塗料を塗布することが開示されている。
【０００６】
このようにドアとドア把手の接続箇所に蓄光性塗料を塗布すれば、夜中であっても目的物（ドア把手）の位置を把握することができるが、同公報のようにピンポイント的に蓄光性塗料を塗布しても、屋内用フェンスのような平面的に広がりを有する目的物の全体像を把握することは不可能である。
【０００７】
本発明はこのような従来の屋内用フェンスにおける問題点に鑑みてなされたものであり、夜中などの暗いときであっても、置かれている位置を把握することが可能な屋内用フェンスを提供することを目的とする。
【課題を解決するための手段】
【０００８】
上記の目的を達成するため、本発明は、屋内に配置される移動可能な屋内用フェンスであって、前記屋内用フェンスの外形を認識することができる位置に配置されている蓄光手段を備えることを特徴とする屋内用フェンスを提供する。
【０００９】
前記屋内用フェンスは、ウォール部分と、当該ウォール部分に対して開閉可能なドア部分とのうち、少なくともウォール部分からなり、前記蓄光手段は前記ウォール部分及び前記ドア部分のうち少なくともウォール部分に配置されていることが好ましい。
前記屋内用フェンスが布製部材を備えている場合には、前記布製部材の少なくとも一部の領域には蓄光材が混練されており、前記領域が前記蓄光手段をなしていることが好ましい。
【００１０】
前記蓄光手段は、例えば、蓄光材を含む蓄光層と、前記蓄光層の一面側において前記蓄光層と接合されている接着層と、からなり、前記接着層を介して貼り付け可能であることが好ましい。
【００１１】
前記屋内用フェンスが樹脂製の部品を備えている場合には、前記部品には蓄光材が混練されており、前記部品が前記蓄光手段をなしていることが好ましい。
【発明の効果】
【００１２】
本発明に係る屋内用フェンスには蓄光手段が配置されており、この蓄光手段が放射する光によって、夜中などの暗いときであっても、当該屋内用フェンスの外形を認識することができる。このため、夜中などの周囲を認識できない環境下であっても、当該屋内用フェンスに足をぶつけたり、当該屋内用フェンスそのものに衝突したりすることを防止することができる。
【００１３】
特に、上記実用新案登録とは異なり、ピンポイント的に蓄光手段を配置するのではなく、屋内用フェンスの外形が認識できるように蓄光手段を配置するため、屋内用フェンスの外形（全体）を認識することが可能になる。
【００１４】
また、蓄光手段は電気により発光するものではなく、日中などの明るいときに蓄光された光を放射するものであるから、電気代などの費用は不要であり、さらに、電気を供給するためのコードを使用する必要もないので、コードに足を引っ掛けるという二次的トラブルをも防止することができる。
【図面の簡単な説明】
【００１５】
【図１】本発明の一実施形態に係る屋内用フェンスの正面図である。
【図２】本発明の一実施形態に係る屋内用フェンスの斜視図である。
【図３】屋内用フェンスの一部をなす布製シートの平面図である。
【図４】蓄光テープの断面図である。
【発明を実施するための形態】
【００１６】
（第一の実施形態）
図１及び図２は本発明の第一の実施形態に係る屋内用フェンスを示す。本実施形態においては、屋内用フェンスの一例としてベビーフェンス（まだ動けない幼児の周囲に配置するフェンス）を挙げる。
【００１７】
図１及び図２に示すように、本実施形態に係るベビーフェンス１００は、ウォール部分１１０と、ドア部分１２０とから構成されている。
【００１８】
ウォール部分１１０は、左側部分１１１と、右側部分１１２とからなる。
左側部分１１１は、上下方向に延びる複数の第一パイプと、第一パイプの各上端を結合する水平パイプと、第一パイプの各下端を結合するバー１１３と、水平パイプ及びバー１１３の端部に取り付けられているパッド１２１と、から構成されている。
【００１９】
右側部分１１２は、上下方向に延びる複数の第二パイプと、第二パイプの各上端を結合する水平パイプと、第二パイプの各下端を結合するバー１１３と、水平パイプ及びバー１１３の端部に取り付けられているパッド１２４と、から構成されている。
【００２０】
バー１１３は左側部分１１１及び右側部分１１２の双方にわたって延びており、左側部分１１１及び右側部分１１２に共有されている。
【００２１】
左側部分１１１と右側部分１１２とは、それらの間にスペースが形成されるようにして、バー１１３を介して結合されている。
【００２２】
ドア部分１２０は左側部分１１１と右側部分１１２との間に形成されたスペースに配置されており、左側部分１１１に対して取付部材１２２及び１２５を介して回転可能に取り付けられている（図１の紙面と平行に延びる軸を中心として図１の紙面と垂直な方向に回転する）。
【００２３】
ドア部分１２０の上端の角には、ドア部分１２０を押すためのパッド１２３が取り付けられている。
【００２４】
本実施形態に係るベビーフェンス１００を構成する部品のうち、ベビーフェンス１００の外形に位置するパッド１２１、１２３、１２４及び取付部材１２２、１２５は樹脂製である。これらのパッド１２１、１２３、１２４及び取付部材１２２、１２５には蓄光材が混練されており、このため、暗い環境下においては、これらのパッド１２１、１２３、１２４及び取付部材１２２、１２５は発光する。
【００２５】
このように、本実施形態に係るベビーフェンス１００においては、ベビーフェンス１００の外形を特定することが可能な位置に配置されている部品が蓄光手段として機能し、暗いときには発光するため、例えば夜中であっても、ベビーフェンス１００の外形を認識することができ、ひいては、どこにベビーフェンス１００が立っているかを容易に把握することができる。このため、夜中などの周囲を認識できない環境下であっても、ベビーフェンス１００に足をぶつけたり、ベビーフェンス１００そのものに衝突したりすることを防止することができる。
【００２６】
（第二の実施形態）
第一の実施形態に係るベビーフェンス１００のドア部分１２０は、例えば、鋼鉄製であるが、ドア部分１２０を布地で構成することが可能である。
【００２７】
図３は布地で構成したドア部分１２０の一例の平面図である。
【００２８】
図３に示すドア部分１２０は、剛性材料からなる長方形状のフレーム部材１３０と、フレーム部材１３０に沿って張られた布地１３５と、から構成されている。
【００２９】
フレーム部材１３０は、鉛直方向に相互に平行に延びる一対の第一フレーム部材１３１と、第一フレーム部材１３１に対して直交する方向に延び、一対の第一フレーム部材１３１を相互に結合する一対の第二フレーム部材１３２と、からなる。第一フレーム部材１３１はフレーム部材１３０の四隅において第二フレーム部材１３２より突出しており、この突出部分は布地１３５から露出している。
【００３０】
第一フレーム部材１３１の一方（例えば、図３の左側に位置する第一フレーム部材１３１）が左側部分１１１に対して回転可能に取り付けられる。
【００３１】
このようにドア部分１２０がその構成要素として布地１３５を含む場合には、布地１３５の一部の領域に蓄光材を混練させ、当該領域から発光させることが可能である。すなわち、当該領域が蓄光手段として機能する。
【００３２】
例えば、図３に示すように、本実施形態における布地１３５には、その四隅のＬ字型領域１３６に蓄光材が混練されている。このため、夜中などの暗いときには、Ｌ字型領域１３６が発光する。
【００３３】
このため、夜中などの暗いときであっても、ドア部分１２０の位置を容易に認識することができるため、ベビーフェンス１００の外形または全体の位置も容易に類推することが可能である。
【００３４】
本実施形態においては、ドア部分１２０を布地製としたが、左側部分１１１または右側部分１１２を布地製とすることも可能であり、あるいは、それら全てを布地製とすることも可能である。
【００３５】
また、本実施形態においては、蓄光材を混練する領域としてＬ字型領域１３６を例示したが、他のパターンとすることも可能である。例えば、布地１３５の全周囲に蓄光材を混練することも可能である。
【００３６】
さらに、蓄光材を混練する領域は布地１３５の一部に限定されるものではなく、布地１３５の全領域に蓄光材を混練することも可能である。
【００３７】
上記の第一の実施形態を本実施形態に適用することも可能である。例えば、第一フレーム部材１３１を樹脂製とし、第一フレーム部材１３１が布地１３５から突出している部分に蓄光材を混練させることにより、この突出部分から発光させることも可能である。
【００３８】
（第三の実施形態）
上記の第一及び第二の実施形態においては、ベビーフェンス１００の一部が蓄光手段として使用される。このため、蓄光手段が配置される位置はベビーフェンス１００の製造時に決まるものであるため、ベビーフェンス１００の製造後において蓄光手段の位置を変更することは不可能である。
【００３９】
これに対して、本発明の第三の実施形態においては、ベビーフェンス１００の使用者が蓄光手段の位置を任意に決定することが可能であり、ベビーフェンス１００の製造後であっても、蓄光手段の位置を任意に変更することが可能である。
【００４０】
本実施形態においては、蓄光手段として、蓄光テープが使用される。
図４は蓄光テープ１４０の断面図である。
【００４１】
蓄光テープ１４０は、蓄光材を含む蓄光層１４１と、蓄光層１４１の下面側において蓄光層１４１と接合されている接着層１４２と、から構成されている。
【００４２】
蓄光テープ１４０は接着層１４２を介してベビーフェンス１００の任意の位置に接着可能である。
【００４３】
このため、ベビーフェンス１００の使用者は、使用者自身にとってベビーフェンス１００の外形を把握するのに適した位置を選択し、それらの選択した位置に蓄光テープ１４０を貼り付けることが可能である。貼り付けられた蓄光テープ１４０により、夜中などの暗いときであっても、ベビーフェンス１００の外形を容易に認識することが可能である。
【００４４】
本実施形態は第一の実施形態及び第二の実施形態の一方または双方と併用することが可能である。
【００４５】
上記の第一乃至第三の実施形態においては、本発明に係る屋内用フェンスの一例としてベビーフェンスを挙げたが、本発明に係る屋内用フェンスはベビーフェンスに限定されるものではない。本発明は、例えば、ストーブその他の暖房器具や加熱されたものの周囲に配置するフェンス、壊れやすいものの周囲に配置するフェンスなど屋内で使用する全てのフェンスに対して適用することが可能である。
【００４６】
また、上記の第一乃至第三の実施形態にベビーフェンス１００はドア部分１２０を備えるものとして形成されているが、ドア部分１２０を形成せずに、ベビーフェンス１００をウォール部分１１０のみから構成することも可能である。
【符号の説明】
【００４７】
１００  ベビーフェンス
１１０  ウォール部分
１１１  左側部分
１１２  右側部分
１１３  バー
１２０  ドア部分
１２１−１２５  蓄光材含有部品
１３０  フレーム部材
１３５  布地
１３６  Ｌ字型領域
１４０  蓄光テープ
【図１】
2016174634.tif 000003
【図２】
2016174634.tif 000004
【図３】
2016174634.tif 000005
【図４】
2016174634.tif 000006